(57)【要約】本発明に係る表示装置１０は、各々が分割された複数の副絵素４２を含む複数の絵素４０と、副絵素４２との間で補助容量５６を形成する複数の補助容量配線３６と、補助容量配線３６に補助容量駆動信号を供給して補助容量を駆動する補助容量ドライバ３４と、を備える。この表示装置１０では、補助容量ドライバ３４には、補助容量配線３６と接続する複数の出力端子６４が設けられており、各補助容量配線３６は、互いに異なる出力端子６４に接続されている。
2012060254.tif 000002
【特許請求の範囲】
【請求項１】
各々が、分割された複数の副絵素を含む複数の表示絵素と、
前記副絵素との間で補助容量を形成する複数の補助容量配線と、
前記補助容量配線に補助容量駆動信号を供給して前記補助容量を駆動する補助容量線駆動装置と、を備え、
前記補助容量線駆動装置には、前記補助容量配線と接続する複数の第１接続端子が設けられており、
前記補助容量配線は、互いに異なる前記第１接続端子に接続されていることを特徴とする表示装置。
【請求項２】
１つの表示絵素を構成する複数の副絵素は、互いに異なる前記補助容量配線との間で補助容量を形成していることを特徴とする請求項１に記載の表示装置。
【請求項３】
前記補助容量線駆動装置は、前記複数の補助容量配線に含まれる第１補助容量配線群に第１補助容量駆動信号を供給しており、
前記第１補助容量配線群は、第１幹配線によって接続されていることを特徴とする請求項１または請求項２に記載の表示装置。
【請求項４】
前記表示絵素に接続される複数の走査線と、
前記走査線に走査線駆動信号を供給して前記表示絵素を駆動する走査線駆動装置と、を備え、
前記走査線と前記補助容量配線は、共に第１方向に延びており、
前記補助容量線駆動装置と前記走査線駆動装置は、前記複数の表示絵素に対して前記第１方向の第１端部側に配置されていることを特徴とする請求項１ないし請求項３のいずれか一項に記載の表示装置。
【請求項５】
前記補助容量線駆動装置と前記走査線駆動装置は、前記複数の表示絵素に対して前記第１方向の両端部側に配置されていることを特徴とする請求項４に記載の表示装置。
【請求項６】
前記補助容量線駆動装置と前記走査線駆動装置は、同一の表示絵素駆動装置内に形成されていることを特徴とする請求項４または請求項５に記載の表示装置。
【請求項７】
前記走査線駆動装置は、前記走査線と接続する複数の第２接続端子を備え、
前記第１接続端子と前記第２接続端子は、前記第１方向と異なる第２方向において、各々が接続する前記補助容量配線及び前記走査線の前記第２方向における配列に基づいて配置されていることを特徴とする請求項６に記載の表示装置。
【請求項８】
接続装置と、複数の第１接続線と、複数の第２接続線と、を備え、
前記走査線駆動装置は、前記走査線と接続する複数の第２接続端子が設けられており、
前記接続装置は、前記第１接続線を介して前記第１接続端子に接続する複数の第３接続端子と、前記第２接続線を介して前記第２接続端子に接続する複数の第４接続端子と、前記補助容量配線に接続するとともに前記接続装置内において前記第３接続端子に接続する複数の第５接続端子と、前記走査線に接続するとともに前記接続装置内において前記第４接続端子に接続する複数の第６接続端子と、が設けられており、
前記第３接続端子と前記第４接続端子は、前記第１方向と異なる第２方向において、各々が接続する前記第１接続端子及び前記第２接続端子の前記第２方向における配置に基づいて配置され、前記第５接続端子と前記第６接続端子は、各々が接続する前記補助容量配線及び前記走査線の前記第２方向における配列に基づいて配置されていることを特徴とする請求項６に記載の表示装置。
【請求項９】
前記補助容量配線と前記補助容量駆動装置の間に配置され、前記補助容量配線及び前記補助容量駆動装置に接続する複数の第２幹配線と、複数の第３接続線と、を備え、
前記第１接続端子は、前記第３接続線を介して前記第２幹配線にそれぞれ接続されており、
前記第３接続線が前記第２幹配線に接続する第１位置と、前記補助容量配線が前記第２幹配線に接続する第２位置と、は互いに異なることを特徴とする請求項１ないし請求項６のいずれか一項に記載の表示装置。
【請求項１０】
各々が、分割された複数の副絵素を含む複数の表示絵素と、
前記副絵素との間で補助容量を形成する複数の補助容量配線と、
前記補助容量配線に補助容量駆動信号を供給して補助容量を駆動する補助容量線駆動装置と、
複数の第３幹配線と、を備え、
前記複数の補助容量配線は、前記第３幹配線によって予め決められた基準本数の補助容量配線が接続されて複数の第２補助容量配線群が設けられており、
前記補助容量線駆動装置には、前記各補助容量配線に接続する複数の第１接続端子が設けられており、
前記各第２補助容量配線群は、互いに異なる前記第１接続端子に接続されていることを特徴とする表示装置。
【請求項１１】
前記基準本数は、２本であることを特徴とする請求項１０に記載の表示装置。
【請求項１２】
前記補助容量線駆動装置は、前記補助容量駆動信号を、オーバーシュート駆動により出力することを特徴とする請求項１ないし請求項１１のいずれか一項に記載の表示装置。
【発明の詳細な説明】
【技術分野】
【０００１】
本発明は、複数の表示絵素を有する表示装置に関し、特に表示絵素との間で補助容量を形成する補助容量配線を備える表示装置に関する。
【背景技術】
【０００２】
近年、大画面テレビジョンなどの高性能な表示装置が普及しつつある。これらの表示装置においては、表示画像に発生するムラが画質に大きな影響を与えるため、ムラを適切に補正することが必要となる。表示画像に発生するムラには、表示絵素毎に表示輝度や表示色度が異なることに起因する輝度ムラや色ムラに加えて、表示輝度の階調依存性であるγ特性の視覚依存性に伴うムラの問題が顕著化している。【０００３】
γ特性の視覚依存性に伴うムラを抑制する技術として、マルチ絵素駆動法が開示されている（特許文献１、２参照）。この技術では、１つの表示絵素を複数の副絵素に分割し、各副絵素と補助容量を形成する複数の補助容量配線に互いに異なる補助容量駆動信号を供給する。マルチ絵素駆動法では、各副絵素に対応する補助容量が別々に制御されることで、各副絵素におけるγ特性の視覚依存性を変化させることができ、γ特性の視覚依存性に伴うムラを抑制することができるという。
【先行技術文献】
【特許文献】
【０００４】
【特許文献１】特開２００９−１２８５３３号公報
【特許文献２】特開２００９−１４５４７０号公報
【０００５】
（発明が解決しようとする課題）
しかし、従来技術のマルチ絵素駆動法では、補助容量配線に供給される補助容量駆動信号の種類が少なく、各補助容量駆動信号は表示装置に含まれる比較的多くの補助容量配線に供給される必要があった。そのため、同一の補助容量駆動信号が供給される補助容量配線に補助容量駆動信号を伝搬する幹配線の負荷（配線抵抗並びに配線容量）が増大し、補助容量駆動信号の伝搬が遅延してしまう問題が生じていた。また、各補助容量配線において遅延差が起こるという問題が生じていた。補助容量駆動信号の伝搬遅延や遅延差が発生した場合、副絵素に対応する補助容量を適切に制御することができず、表示不良が生じてしまう。【０００６】
補助容量駆動信号を供給する配線を幅広に設けることで、配線抵抗を減少させることができ、表示不良を抑制することができるように思える。しかし、これらの配線を幅広に設けると、表示絵素が形成されていない領域である額縁領域の狭小化が困難であるという問題が発生する。
【発明の概要】
【０００７】
本発明は、このような状況に鑑みてなされたものであり、表示装置において、表示不良の抑制と、額縁領域の狭小化の両方を実現することができる技術を提供することを目的とする。
【０００８】
（課題を解決するための手段）
上記課題を解決するために、本発明の表示装置は、各々が分割された複数の副絵素を含む複数の表示絵素と、前記副絵素との間で補助容量を形成する複数の補助容量配線と、前記補助容量配線に補助容量駆動信号を供給して前記補助容量を駆動する補助容量線駆動装置と、を備える。この表示装置では、前記補助容量線駆動装置に、前記補助容量配線と接続する複数の第１接続端子が設けられており、前記補助容量配線は、互いに異なる前記第１接続端子に接続されている。
【０００９】
この表示装置では、各補助容量配線が補助容量線駆動装置と個別に接続されており、補助容量駆動信号が補助容量線駆動装置から各補助容量配線に直接供給される。これにより、補助容量駆動信号の伝搬遅延及び伝搬遅延差の発生を抑制することができ、表示不良を抑制することができる。また、この表示装置では、補助容量駆動信号を伝搬するために、補助容量配線間に幹配線を設ける必要もなければ、補助容量駆動信号の伝搬遅延の発生を抑制するために、その幹配線を幅広に設ける必要もない。これによって、表示絵素以外の領域である額縁領域を狭小化することができる。
【００１０】
１つの表示絵素を構成する複数の副絵素は、互いに異なる前記補助容量配線との間で補助容量を形成していてもよい。
【００１１】
上記の表示装置によれば、１つの表示絵素を構成する各副絵素に対応する補助容量を別々に制御することができ、これによる表示上の効果、例えばγ特性の視覚依存性改善に伴う視野角拡大等の効果を得ることができる。
【００１２】
前記補助容量線駆動装置は、前記複数の補助容量配線に含まれる第１補助容量配線群に第１補助容量駆動信号を供給しており、前記第１補助容量配線群が、第１幹配線によって接続されていてもよい。
【００１３】
上記の表示装置によれば、第１幹配線を設けることで、第１補助容量配線群に供給される第１補助容量駆動信号を同期させることができる。これにより、第１補助容量駆動信号の伝搬差異の発生を抑制することができ、表示特性を向上させることができる。第１幹配線は、第１補助容量駆動信号を同期させるためのものであり、第１補助容量駆動信号を伝搬する必要がない。そのため、補助容量駆動信号を伝搬する従来の幹配線に比べて、第１幹配線を幅狭に設けることができ、額縁領域を狭小化することができる。
【００１４】
前記表示絵素に接続される複数の走査線と、前記走査線に走査線駆動信号を供給して前記表示絵素を駆動する走査線駆動装置と、を更に備えていてもよい。この場合、前記走査線と前記補助容量配線は、共に第１方向に延びており、前記補助容量線駆動装置と前記走査線駆動装置は、前記複数の表示絵素に対して前記第１方向の第１端部側に配置されていることが好ましい。
【００１５】
上記の表示装置によれば、補助容量線駆動装置と補助容量配線を接続する額縁領域と、走査線駆動装置と走査線を接続する額縁領域と、を共通化することができ、額縁領域を狭小化することができる。
【００１６】
前記補助容量線駆動装置と前記走査線駆動装置は、前記複数の表示絵素に対して前記第１方向の両端部側に配置されていてもよい。
【００１７】
上記の表示装置によれば、補助容量配線及び走査線に両側から各駆動信号を供給することができ、駆動信号の伝搬遅延を抑制することができる。
【００１８】
前記補助容量線駆動装置と前記走査線駆動装置は、同一の表示絵素駆動装置内に形成されていてもよい。
【００１９】
上記の表示装置によれば、電源電位等、補助容量線駆動装置及び走査線駆動装置に共通して供給される信号等の配線を共通化することができ、額縁領域を狭小化することができる。また、表示装置を製造する際に、補助容量線駆動装置及び走査線駆動装置を補助容量配線及び走査線に接続する作業を簡略化することができる。
【００２０】
前記走査線駆動装置は、前記走査線と接続する複数の第２接続端子を更に備えていてもよい。この場合、前記第１接続端子と前記第２接続端子は、前記第１方向と異なる第２方向において、各々が接続する前記補助容量配線及び前記走査線の前記第２方向における配列に基づいて配置されていることが好ましい。
【００２１】
上記の表示装置によれば、第１接続端子と補助容量配線、及び第２接続端子と走査線を、配線等を用いて接続する際に、これらの配線同士が重なり合うことが抑制され、額縁領域を狭小化することができる。
【００２２】
接続装置と、複数の第１接続線と、複数の第２接続線と、を更に備えていてもよい。また、前記走査線駆動装置は、前記走査線と接続する複数の第２接続端子が設けられており、前記接続装置は、前記第１接続線を介して前記第１接続端子に接続する複数の第３接続端子と、前記第２接続線を介して前記第２接続端子に接続する複数の第４接続端子と、前記補助容量配線に接続するとともに前記接続装置内において前記第３接続端子に接続する複数の第５接続端子と、前記走査線に接続するとともに前記接続装置内において前記第４接続端子に接続する複数の第６接続端子と、が設けられていてもよい。この場合、前記第３接続端子と前記第４接続端子は、前記第１方向と異なる第２方向において、各々が接続する前記第１接続端子及び前記第２接続端子の前記第２方向における配置に基づいて配置され、前記第５接続端子と前記第６接続端子は、各々が接続する前記補助容量配線及び前記走査線の前記第２方向における配列に基づいて配置されていることが好ましい。
【００２３】
上記の表示装置によれば、接続装置を用いることで、第１接続端子と第３接続端子、及び第２接続端子と第４接続端子を、接続線を用いて接続する際に、これらの接続線同士が重なり合うことが抑制される。また、第５接続端子と補助容量配線、及び第６接続端子と走査線を、配線等を用いて接続する際に、これらの配線同士が重なり合うことが抑制される。これによって、額縁領域を狭小化することができる。
【００２４】
前記補助容量配線と前記補助容量駆動装置の間に配置され、前記補助容量配線及び前記補助容量駆動装置に接続する複数の第２幹配線と、複数の第３接続線と、を更に備えていてもよい。この場合、前記第１接続端子は、前記第３接続線を介して前記第２幹配線にそれぞれ接続されており、前記第３接続線が前記第２幹配線に接続する第１位置と、前記補助容量配線が前記第２幹配線に接続する第２位置と、が互いに異なることが好ましい。
【００２５】
上記の表示装置によれば、第１接続端子の配置と、補助容量配線の配列が対応しない場合でも、第１位置と第２位置の違いを利用することで、第３接続線を用いていずれか一方の並び順を変換することができ、第１接続端子と補助容量配線との接続が容易となる。
【００２６】
本発明の表示装置は、各補助容量配線が補助容量線駆動装置と個別に接続される場合に限られず、例えば補助容量配線の配線材料等から算出される配線抵抗等によって決定される基準本数内の補助容量配線が接続された補助容量配線群が補助容量線駆動装置と個別に接続されるのであれば、同等の効果を得ることができる。
【００２７】
本発明の表示装置は、各々が分割された複数の副絵素を含む複数の表示絵素と、前記副絵素との間で補助容量を形成する複数の補助容量配線と、前記補助容量配線に補助容量駆動信号を供給して補助容量を駆動する補助容量線駆動装置と、複数の第３幹配線と、を備えていてもよい。この表示装置では、前記複数の補助容量配線は、前記第３幹配線によって予め決められた基準本数の補助容量配線が接続されて複数の第２補助容量配線群が設けられており、前記補助容量線駆動装置には、前記各補助容量配線に接続する複数の第１接続端子が設けられており、前記各第２補助容量配線群は、互いに異なる前記第１接続端子に接続されている。この表示装置において、前記基準本数は、例えば２本である。
【００２８】
この表示装置では、各第２補助容量配線群が補助容量線駆動装置と個別に接続されており、補助容量駆動信号が補助容量線駆動装置から各第２補助容量配線群に直接供給される。これにより、補助容量駆動信号の伝搬遅延及び伝搬遅延差の発生を抑制することができ、表示不良を抑制することができる。また、この表示装置では、第３幹配線は、予め決められた基準本数の補助容量配線にのみ補助容量駆動信号を伝搬すればよく、基準本数に応じて決定される基準幅以下となるように幅狭に設けることによる狭小化の効果と、第３幹配線と補助容量線駆動装置を接続する配線数を減らすことによる狭小化の効果の両効果を好適に含めることで、額縁領域を好適に狭小化することができる。
【００２９】
前記補助容量線駆動装置は、前記補助容量駆動信号を、オーバーシュート駆動により出力してもよい。
【００３０】
この表示装置によれば、各補助容量配線に接続される補助容量が充電される時間を短縮することができ、副絵素の駆動を高速化することができる。これにより、補助容量配線の増加に起因して、各補助容量配線に対する補助容量駆動信号の供給時間が短くなる場合においても、表示上の効果、例えば視野角拡大等の効果を確実に得ることができる。
【００３１】
（発明の効果）
本発明によれば、表示装置において、表示不良の抑制と、額縁領域の狭小化の両方を実現することができる。
【図面の簡単な説明】
【００３２】
【図１】実施形態１の表示装置１０の構成を示す図である。
【図２】絵素４０の等価回路を示す図である。
【図３】補助容量信号を示すグラフである。
【図４】実施形態２の液晶パネル２０の構成を示す図である。
【図５】実施形態３の液晶パネル２０の構成を示す図である。
【図６】実施形態４の液晶パネル２０の構成を示す図である。
【図７】実施形態５の液晶パネル２０の構成を示す図である。
【図８】実施形態６の液晶パネル２０の構成を示す図である。
【図９】実施形態７の液晶パネル２０の構成を示す図である。
【図１０】実施形態８の液晶パネル２０の構成を示す図である。
【図１１】オーバーシュート駆動により出力される補助容量信号を示すグラフである。
【発明を実施するための形態】
【００３３】
＜実施形態１＞
本発明の実施形態１を、図面を参照して説明する。
１． 表示装置の構成
図１に示すように、表示装置１０は、制御回路１２と表示部１４とバックライト制御回路１６とを含む。表示部１４は、液晶パネル２０とバックライトユニット９０を含んで構成される。
【００３４】
制御回路１２は、外部装置（図示されていない）から供給される入力画像Ｇに基づいて液晶パネル２０を駆動する。バックライト制御回路１６は、バックライトユニット９０を駆動する。バックライト制御回路１６は、制御回路１２と連動してバックライトユニット９０を駆動しても良ければ、制御回路１２と独立してバックライトユニット９０を駆動しても良い。
【００３５】
液晶パネル２０には、複数の絵素４０が設けられた表示領域２２の周辺に額縁領域２４が広がっている。液晶パネル２０の外周部には、信号線２８に表示信号を印加するソースドライバ２６と、走査線３２に走査線駆動信号（走査線信号）を印加するゲートドライバ（走査線駆動装置の一例）３０と、補助容量配線３６に補助容量駆動信号（補助容量信号）を印加する補助容量ドライバ（補助容量駆動装置の一例）３４とがＣＯＦ（chip on film）実装されている。信号線２８、走査線３２、補助容量配線３６は、対応するドライバ２６、３０、２４の出力端子に接続されるとともに、額縁領域２４を通って表示領域２２まで延び、各絵素４０に接続されている。
【００３６】
図２に、絵素４０の等価回路を示す。表示領域２２には、紙面上の左右方向（以後、第１方向と呼ぶ）に複数の走査線３２及び複数の補助容量配線３６が延びており、紙面上の上下方向（以後、第２方向と呼ぶ）に信号線２８が延びており、絵素４０はこれらの配線２８、３２、３６に沿って形成されている。絵素４０には、各々２つの副絵素４２が形成されており、各副絵素４２は、スイッチ装置４４とピクセル電極４６と容量電極５２を含む。スイッチ装置４４には、スイッチ電極４４Ａとデータ電極４４Ｂ、４４Ｃが設けられている。スイッチ電極４４Ａは、対応する走査線３２に接続されている。一方のデータ電極４４Ｂは、対応する信号線２８に接続されている。他方のデータ電極４４Ｃは、ピクセル電極４６及び容量電極５２に接続されている。
【００３７】
ピクセル電極４６は、液晶パネル２０に封入された液晶分子を介して対向電極４８に対向配置され、対向電極４８との間にピクセル容量５０を形成している。容量電極５２は、対応する補助容量配線３６に接続された対向電極５４に対向配置され、対向電極５４との間に補助容量５６を形成している。副絵素４２では、ピクセル容量５０と補助容量５６が並列に接続されている。そのため、各副絵素４２のピクセル電極４６に対向する領域の液晶分子に印加される電圧は、スイッチ装置４４を介してピクセル電極４６（容量電極５２）に印加される表示信号や、対向電極４８に印加される対向電位Ｖｃｏｍの他、対向電極５４に印加される補助容量信号によって変化する。つまり、当該液晶分子の偏向は、補助容量信号に基づいて変化し、これによって、絵素４０（副絵素４２）の光透過率及び視野角が変化する。
【００３８】
絵素４０Ａ、４０Ｂは、同一の信号線２８に接続されている一方、お互いに異なる走査線３２Ａ、３２Ｂに接続されている。走査線３２Ａは、絵素４０Ａに含まれる副絵素４２Ａ、４２Ｂの各スイッチ装置４４に接続されるとともに、ゲートドライバ３０の出力端子６０Ａに接続されている。走査線３２Ｂは、絵素４０Ｂに含まれる副絵素４２Ｃ、４２Ｄの各スイッチ装置４４に接続されるとともに、ゲートドライバ３０の出力端子６０Ｂに接続されている。走査線３２Ａ、３２Ｂは、ゲートドライバ３０のお互いに異なる出力端子６０に接続されている。
【００３９】
副絵素４２Ａ〜４２Ｄは、お互いに異なる補助容量配線３６Ａ〜３６Ｄに接続されている。補助容量配線３６Ａは、副絵素４２Ａの対向電極５４に接続されるとともに、補助容量ドライバ３４の出力端子６４Ａに接続されている。補助容量配線３６Ｂは、副絵素４２Ｂの対向電極５４に接続されるとともに、補助容量ドライバ３４の出力端子６４Ｂに接続されている。すなわち、１つの絵素４０Ａに含まれる副絵素４２Ａ、４２Ｂは、お互いに異なる補助容量配線３６Ａ、３６Ｂとの間で補助容量５６を形成している。また、補助容量配線３６Ａ、３６Ｂは、補助容量ドライバ３４のお互いに異なる出力端子６４に接続されている。尚、絵素４０Ｂに含まれる副絵素４２Ｃ、４２Ｄについても同様であり、重複した説明を省略する。
【００４０】
バックライトユニット９０は、液晶パネル２０の背面に配置されている。バックライトユニット９０は、拡散板９２と、光源であるＬＥＤ９４（Light Emitting Diode：発光ダイオード）を備えている。ＬＥＤ９４は、拡散板９２の背面に対向して配置されている。拡散板９２は、その主面が液晶パネル２０に対向して配置されている。拡散板９２では、ＬＥＤ９４からの光が背面から入射され、その入射された光が拡散を伴って透過し、該拡散した光を液晶パネル２０に対向する主面から当該液晶パネル２０に照射している。バックライトユニット９０は、その奥行側の背面部にＬＥＤ６４が配置され、その前面に拡散板９２を配してなる、いわゆる直下型とされている。
【００４１】
２．表示装置の制御
制御回路１２は、表示部１４の液晶パネル２０を駆動する際、ゲートドライバ３０を制御し、走査線３２に走査線信号を出力させるとともに、ソースドライバ２６を制御し、信号線２８に表示信号を出力させる。各絵素４０では、走査線信号によってスイッチ装置４４がオンに切り替わっている間に表示信号が入力されると、スイッチ装置４４を介して表示信号がピクセル電極４６及び容量電極５２に入力される。さらに制御回路１２は、補助容量ドライバ３４を制御し、走査線信号の出力に同期させて補助容量配線３６に補助容量信号を出力させ、対向電極５４に補助容量信号を入力する。これにより、副絵素４２では、表示信号、補助容量信号、ピクセル容量５０と補助容量５６の容量比等に基づいて液晶分子に印加される電圧が決定され、液晶分子の偏向が変化する。これにより、絵素４０が所望の光透過率に設定される。
【００４２】
また、図３に示すように、制御回路１２は、補助容量ドライバ３４から補助容量配線３６に補助容量信号を出力させる際に、各補助容量配線３６に対して異なる補助容量信号を出力させる。これにより、１つの絵素４０を構成する各副絵素４２では、液晶分子に異なる電圧が印加される。これにより、各副絵素４２が異なる視野角に設定され、絵素４０全体として所望の視野角に設定される。
【００４３】
３．本実施形態の効果
（１）本実施形態の表示装置１０では、各補助容量配線３６が補助容量ドライバ３４と個別に接続されており、補助容量信号が補助容量ドライバ３４から各補助容量配線３６に直接供給される。これにより、補助容量信号の伝搬遅延及び伝搬遅延差の発生を抑制することができ、表示不良を抑制することができる。また、本実施形態の表示装置１０では、補助容量信号を補助容量配線間で伝搬するために、額縁領域２４に幹配線を設ける必要がない。これによって、額縁領域２４を狭小化することができる。
【００４４】
（２）本実施形態の表示装置１０では、１つの絵素４０を構成する各副絵素４２に対応する補助容量５６を別々に制御することができ、これによる表示上の効果、例えばγ特性の視覚依存性改善に伴う視野角拡大等の効果を得ることができる。
【００４５】
＜実施形態２＞
実施形態２を、図４を用いて説明する。図４に示すように、本実施形態の表示装置１０は、液晶パネル２０の額縁領域２４に幹配線６６が設けられている点で実施形態１の表示装置１０と異なる。
【００４６】
補助容量配線３６に印加される補助容量信号は、各絵素４０に所望の光透過率及び視野角を設定できる場合、すべての補助容量配線３６に異なる補助容量信号を印加する必要はなく、例えば一定本数毎の補助容量配線３６に同一の補助容量信号を印加することで、補助容量信号を生成する補助容量ドライバ３４の構成を単純化することができる。
【００４７】
本実施形態では、図４に示すように、同一の補助容量信号が与えられる補助容量配線３６を幹配線（第１幹配線の一例）６６を用いて接続しておく。これにより、補助容量ドライバ３４から印加される同一の補助容量信号が同期して出力される。
【００４８】
１．本実施形態の効果
（１）本実施形態の表示装置１０では、幹配線６６を設けることで、同一の補助容量信号を同期して出力することができる。これにより、補助容量信号の伝搬差異の発生が抑制され、表示装置１０の表示特性を向上させることができる。なお、幹配線６６は、補助容量駆動信号を同期させるためのものであり、補助容量駆動信号を伝搬する必要がない。そのため、補助容量駆動信号を伝搬する従来の幹配線に比べて、幹配線６６を幅狭に設けることができ、額縁領域２４を狭小化することができる。
【００４９】
＜実施形態３＞
実施形態３を、図５を用いて説明する。図５に示すように、本実施形態の表示装置１０は、ゲートドライバ３０と補助容量ドライバ３４が液晶パネル２０の表示領域２２に対して第１方向の同一側に配置されている点で実施形態２の表示装置１０と異なる。
【００５０】
１．本実施形態の効果
（１）本実施形態の表示装置１０では、ゲートドライバ３０と走査線３２を接続するための額縁領域２４と、補助容量ドライバ３４と補助容量配線３６を接続するための額縁領域２４と、を共通化することができ、額縁領域２４を狭小化することができる。
【００５１】
＜実施形態４＞
実施形態４を、図６を用いて説明する。図６に示すように、本実施形態の表示装置１０は、ゲートドライバ３０と補助容量ドライバ３４が液晶パネル２０の表示領域２２に対して第１方向の同一側に配置されている点で実施形態３の表示装置１０と異なる。
【００５２】
１．本実施形態の効果
（１）本実施形態の表示装置１０では、補助容量配線３６及び走査線３２に両側から各駆動信号を印加することができ、駆動信号の伝搬遅延を抑制することができる。
【００５３】
＜実施形態５＞
実施形態５を、図７を用いて説明する。図７に示すように、本実施形態の表示装置１０は、ゲートドライバ３０と補助容量ドライバ３４に代わって、これらのドライバ３０、３４の機能を兼ね備えた表示絵素ドライバ（表示絵素駆動装置）３８が液晶パネル２０の外周部に実装されている点で実施形態３の表示装置１０と異なる。尚、表示絵素ドライバ３８は、液晶パネル２０の表示領域２２に対して第１方向の片側のみに配置されていても良ければ、第１方向の両側に配置されていても良い。
【００５４】
１．表示装置の構成
表示絵素ドライバ３８は、ゲートドライバ３０と補助容量ドライバ３４の機能を兼ね備えており、走査線３２に走査線信号を印加するための出力端子６０と、補助容量配線３６に補助容量信号を印加するための出力端子６４と、を備えている。出力端子６０、６４は、第２方向に並んで配されている。本実施形態では、出力端子６０、６４の第２方向における順番は、表示絵素ドライバ３８が実装される液晶パネル２０の対応する走査線３２と補助容量配線３６の第２方向における順番に等しい。
【００５５】
２．本実施形態の効果
（１）本実施形態の表示装置１０では、電源電位等、制御回路１２からゲートドライバ３０及び補助容量ドライバ３４に供給される信号等の配線を共通化することができ、これらの配線が設けられる額縁領域２４を狭小化することができる。
【００５６】
（２）本実施形態の表示装置１０では、出力端子６０と走査線３２を接続する配線７０と、出力端子６４と補助容量配線３６を接続する配線７４と、が重なり合うことを抑制することができる。これにより、これらの配線７０、７４の距離を短くすることができ、額縁領域２４を狭小化することができる。また、配線７０、７４の重なりに起因した信号電位の揺らぎ等の発生を抑制することができ、表示特性を向上させることができる。
【００５７】
＜実施形態６＞
実施形態６を、図８を用いて説明する。図８に示すように、本実施形態の表示装置１０は、表示絵素ドライバ３８と表示領域２２の間に接続チップ（接続装置の一例）８２がＣＯＧ（chip on glass）実装されている点で実施形態５の表示装置１０と異なる。
【００５８】
１．表示装置の構成
表示絵素ドライバ３８では、実施形態５のように、出力端子６０と出力端子６４の第２方向における順番が、表示絵素ドライバ３８が実装される液晶パネル２０の対応する走査線３２と補助容量配線３６の第２方向における順番に等しいことが好ましいものの、ドライバの小型化が要望から、必ずしも出力端子６０と出力端子６４を上記のように配置することができないことがある。例えば図８は、表示絵素ドライバ３８のうち、出力端子６０が第２方向の一方側（上側）にまとめて配置され、出力端子６４が第２方向の他方側（下側）にまとめて配置された例である。このような場合でも、額縁領域２４の狭小化や、表示特性の向上のため、配線同士が重なり合うことを抑制したいという要望がある。
【００５９】
本実施形態では、図８に示すように、表示絵素ドライバ３８と表示領域２２の間に接続チップ８２を配置し、この接続チップ８２を介して出力端子６０と走査線３２を接続するとともに、出力端子６４と補助容量配線３６を接続する。接続チップ８２には、入力端子７６、７８と出力端子８０、８４が形成されている。
【００６０】
入力端子７６、７８は、接続チップ８２を液晶パネル２０に実装した状態で、接続チップ８２の表示絵素ドライバ３８側に配置されている。入力端子７６は、配線７０を介して表示絵素ドライバ３８の出力端子６０に接続されている。また、入力端子７８は、配線７４を介して表示絵素ドライバ３８の出力端子６４に接続されている。入力端子７６、７８の第２方向における順番は、出力端子６０、６４の第２方向における順番に等しい。そのため、本実施形態の液晶パネル２０では、表示絵素ドライバ３８と接続チップ８２の間で配線７０、７４が重なり合うことが抑制される。
【００６１】
出力端子８０、８４は、接続チップ８２を液晶パネル２０に実装した状態で、接続チップ８２の表示領域２２側に配置されている。出力端子８０は、配線７０を介して走査線３２に接続されている。また、出力端子８０は、配線７４を介して補助容量配線３６に接続されている。出力端子８０、８４の第２方向における順番は、液晶パネル２０の対応する走査線３２と補助容量配線３６の第２方向における順番に等しい。そのため、本実施形態の液晶パネル２０では、接続チップ８２と表示領域２２の間で配線７０、７４が重なり合うことが抑制される。
【００６２】
２．本実施形態の効果
（１）本実施形態の表示装置１０では、表示絵素ドライバ３８の出力端子６０、６４に対応させて入力端子７８、８０が配置され、走査線３２及び補助容量配線３６に対応させて出力端子８４、８０が配置された接続チップ８２を用いることで、接続チップ８２を用いることで配線７０、７４が重なり合うことが抑制され、接続チップ８２を用ない場合に比べて額縁領域２４を狭小化することができるとともに、表示特性を向上させることができる。
【００６３】
＜実施形態７＞
実施形態７を、図９を用いて説明する。図９に示すように、本実施形態の表示装置１０は、接続チップ８２に代えて幹配線（第２幹配線の一例）８６を介して出力端子６４と補助容量配線３６を接続する点で実施形態６の表示装置１０と異なる。尚、本実施形態では、出力端子６０と走査線３２は、配線７０を介して直接的に接続される。
【００６４】
１．表示装置の構成
幹配線８６は、第１位置Ｌ１において表示絵素ドライバ３８の出力端子６４に接続する配線７４と接続しており、第２位置Ｌ２において補助容量配線３６に接続している。本実施形態では、配線７０、７４の重なり合りを抑制し、出力端子６０と走査線３２を、配線７０を介して直接的に接続している。そのため、図９に示すように、出力端子６０、６４の第２方向における順番によっては、第１位置Ｌ１と第２位置Ｌ２が配線７０及び走査線３２に対して第２方向の異なる側に配置されてしまうことがある。つまり、幹配線８８において、第１位置Ｌ１と第２位置Ｌ２がお互いに異なる位置となることがある。
【００６５】
本実施形態では、このような場合に、幹配線８６を介して第１位置Ｌ１と第２位置Ｌ２の間に補助容量信号を伝搬する。そのため、本実施形態の幹配線８６は、第２方向に補助容量信号を伝搬する点で、補助容量信号の同期を取るための実施形態２の幹配線６６と異なる。その一方、本実施形態の表示装置１０は、出力端子６４と補助容量配線３６が１対１に対応している点で実施形態１〜６の表示装置１０に等しい。
【００６６】
２．本実施形態の効果
（１）本実施形態の表示装置１０では、第１位置Ｌ１と第２位置Ｌ２を幹配線８８の異なる位置に配置することで、出力端子６０と走査線３２を直接的に接続した場合でも、配線７０、７４が重なり合うことが抑制され、額縁領域２４を狭小化することができるとともに、表示特性を向上させることができる。
【００６７】
（２）本実施形態の表示装置１０では、幹配線８６を介して第２方向に補助容量信号を伝搬する必要があり、実施形態２の幹配線６６に比べて幅広となるものの、出力端子６４と補助容量配線３６は１対１に対応しており、幹配線８６を介して１つの出力端子６４から複数の補助容量配線３６に補助容量信号を伝搬する必要がない。そのため、１つの出力端子６４から複数の補助容量配線３６に補助容量信号を伝搬する従来の幹配線に比べて、幹配線８６を幅狭に設けることができ、額縁領域２４を狭小化することができる。
【００６８】
＜実施形態８＞
実施形態８を、図１０を用いて説明する。図１０に示すように、本実施形態の表示装置１０は、１つの出力端子６４が、液晶パネル２０の２本の補助容量配線３６に対応している点で実施形態７の表示装置１０と異なる。
【００６９】
１．表示装置の構成
表示装置１０では、補助容量配線３６が表示絵素ドライバ３８と個別に接続されることで、補助容量信号の伝搬遅延及び伝搬遅延差の発生を抑制することができる。しかし、補助容量信号の伝搬遅延及び伝搬遅延差の発生を抑制できるか否かは、補助容量配線３６の配線抵抗や伝搬する補助容量信号の電位レベル等によって異なり、出力端子６４と補助容量配線３６が１対１に対応しているだけでなく、出力端子６４と補助容量配線３６が１対Ｎ（Ｎ＝２、３・・・）に対応している場合にも、補助容量信号の伝搬遅延及び伝搬遅延差の発生を抑制できる場合がある。
【００７０】
本実施形態では、補助容量配線３６の配線抵抗や伝搬する補助容量信号の電位レベル等から補助容量信号の伝搬遅延及び伝搬遅延差の発生を抑制できる補助容量配線３６の基準本数Ｎ（本実施形態ではＮ＝２）を決定しておき、この基準本数Ｎの補助容量配線３６に１つの出力端子６４から補助容量信号を印加する。
【００７１】
もちろん、基準本数Ｎ以下の補助容量配線３６に１つの出力端子６４から補助容量信号を印加した場合でも、補助容量信号の伝搬遅延及び伝搬遅延差の発生を抑制することができる。しかし、１つの出力端子６４からＮ本の補助容量配線３６に補助容量信号を印加することで、出力端子６４と補助容量配線３６を接続する配線７４の本数を減らすことができ、額縁領域２４を狭小化することができる。
【００７２】
また、同一の出力端子６４から補助容量信号が印加される基準本数Ｎの補助容量配線３６は、幹配線（第３幹配線の一例）８８を介して互いに接続され、幹配線８８に接続する配線７４を介して出力端子６４に接続される。そのため、本実施形態の幹配線８８は、第２方向に補助容量信号を伝搬する点で実施形態７の幹配線８６と等しいものの、補助容量信号を伝搬する補助容量配線３６が複数である点で実施形態７の幹配線８６と異なる。幹配線８８は複数の補助容量配線３６に補助容量信号を伝搬するため、単数の補助容量配線３６に補助容量信号を伝搬する幹配線８６に比べて幅広となり、額縁領域２４が増大するとも考えられる。
【００７３】
本実施形態では、幹配線８６は、予め決められた基準本数Ｎの補助容量配線３６にのみ補助容量駆動信号を伝搬し、幹配線８６の線幅が、基準本数Ｎに応じて決定される基準幅Ｗ以下となるようにすることで、幹配線８６の幅広化により額縁領域２４が増大することを抑制する。本実施形態では、幹配線８６の幅広化により額縁領域２４が増大することを抑制しつつ、配線７４の減数により額縁領域２４を狭小化することで、全体として額縁領域２４を狭小化することが可能である。
【００７４】
２．本実施形態の効果
（１）本実施形態の表示装置１０では、表示絵素ドライバ３８の出力端子６４が液晶パネル２０等から決定される基準本数Ｎの補助容量配線３６に接続されており、補助容量駆動信号が表示絵素ドライバ３８から基準本数Ｎの補助容量配線３６に直接供給される。基準本数Ｎは、補助容量駆動信号の伝搬遅延及び伝搬遅延差の発生を抑制できる本数に決定されていることから、１つの出力端子６４から複数の補助容量配線３６に補助容量信号を印加した場合でも、補助容量駆動信号の伝搬遅延及び伝搬遅延差の発生が発生することを抑制することができる。
【００７５】
（２）本実施形態の表示装置１０では、幹配線８８は、予め決められた基準本数Ｎの補助容量配線にのみ補助容量駆動信号を伝搬すればよく、幹配線８６の線幅が基準幅Ｗ以下に制御される。これによって、額縁領域２４を狭小化することができる。
【００７６】
（３）本実施形態の表示装置１０では、所定の線幅の幹配線８６を設ける必要があるものの、幹配線８６を所定の線幅に制限して設けるとともに、出力端子６４と幹配線８６を接続する配線７４を減数することで、好適に額縁領域２４を狭小化することができる。
【００７７】
＜他の実施形態＞
本発明は上記記述及び図面によって説明した実施形態に限定されるものではなく、例えば次のような実施形態も本発明の技術的範囲に含まれる。
【００７８】
（１）上記実施形態では、補助容量信号がオーバーシュート駆動により出力されてもよい。図１１は、オーバーシュート駆動により出力された補助容量信号の波形を示す。
【００７９】
この補助容量信号では、信号の立ち上がりから所定期間Ｔ１経過後までの間において、第１到達レベルＶＨよりも数Ｖ高い電位が印加されるとともに、信号の立ち下がりから所定期間Ｔ２経過後までの間において、第２到達レベルＶＬよりも数Ｖ低い電位が印加される。つまり、補助容量駆動信号の立ち上がりにおいては、出力されるべき電位より高い電位を一旦出力し、その後、目的の電位を出力する。同様に、補助容量駆動信号の立ち下がり時においては、出力されるべき電位より低い電位を一旦出力し、その後、目的の電位を出力する。これにより、補助容量５６の充電時間を早め、副絵素４２の駆動を高速化することができる。そして、これにより、補助容量配線３６に対する補助容量駆動信号の供給時間が短くなる場合においても、補助容量信号を印加する効果、例えば視野角拡大等の効果を確実に得ることができる。
【符号の説明】
【００８０】
１０…表示装置、１２…制御回路、１４…表示部、１６…バックライト制御回路、２０…液晶パネル、２２…表示領域、２４…額縁領域、２６…ソースドライバ、２８…信号線、３０…ゲートドライバ、３２…走査線、３４…補助容量ドライバ、３６…補助容量配線、３８…表示絵素ドライバ、４０…絵素、４２…副絵素、４６…ピクセル電極、５０…ピクセル容量、５２…容量電極、５６…補助容量、６０、６４、８０、８４…出力端子、６６、８６、８８…幹配線、７６、７８…入力端子、８２…接続チップ、９０…バックライトユニット、９２…拡散板、９２…ＬＥＤ、Ｌ１…第１位置、Ｌ２…第２位置、Ｎ…基準本数、Ｗ…基準幅
【図１】
2012060254.tif 000003
【図２】
2012060254.tif 000004
【図３】
2012060254.tif 000005
【図４】
2012060254.tif 000006
【図５】
2012060254.tif 000007
【図６】
2012060254.tif 000008
【図７】
2012060254.tif 000009
【図８】
2012060254.tif 000010
【図９】
2012060254.tif 000011
【図１０】
2012060254.tif 000012
【図１１】
2012060254.tif 000013
【国際調査報告】
2012060254.tif 000014
2012060254.tif 000015
2012060254.tif 000016
2012060254.tif 000017